(57)【要約】本発明の一実施形態によれば、記録媒体は、メニュードメインと複数のタイトルで構成されるタイトルドメインのデータストリームを記録する第１記録領域、及び前記データストリームの再生を制御するためのナビゲーション情報を記録する第２記録領域を含んで構成されて、前記第２記録領域のナビゲーション情報は再開すべきタイトルドメインにおける位置を指定するための再生制御情報を含む。
2006514394.tif 000002
【特許請求の範囲】
【請求項１】
メニュードメインと複数のタイトルで構成されるタイトルドメインのデータストリームを記録する第１記録領域、及び
前記データストリームの再生を制御するためのナビゲーション情報を記録する第２記録領域を含んで構成されて、
前記第２記録領域のナビゲーション情報は、再生動作が再開されたときに復帰するタイトルドメインの位置を指定するための再生制御情報を含むことを特徴とする記録媒体。
【請求項２】
前記再生動作は前記メニュードメインから前記タイトルドメインで再開されることを特徴とする請求項１に記載の記録媒体。
【請求項３】
前記ナビゲーション情報は、前記タイトルの再生動作を再開するためのレジュームコマンドをさらに含み、前記レジュームコマンドはプログラムチェーンコマンドテーブルに記録されて管理されることを特徴とする請求項１に記載の記録媒体。
【請求項４】
前記ナビゲーション情報は、前記レジュームコマンドの個数に関するコマンド情報をさらに含むことを特徴とする請求項３に記載の記録媒体。
【請求項５】
前記コマンド情報は前記プログラムチェーンコマンドテーブルに記録されて管理されることを特徴とする請求項４に記載の記録媒体。
【請求項６】
前記タイトルは複数のシステムパラメーターを備えることを特徴とする請求項１に記載の記録媒体。
【請求項７】
前記システムパラメーターは前記タイトルが再開可能なことを指し示す識別情報を含むことを特徴とする請求項６に記載の記録媒体。
【請求項８】
前記タイトルドメイン内の少なくとも第２タイトルは複数のシステムパラメーターを含むことを特徴とする請求項１に記載の記録媒体。
【請求項９】
前記第２タイトルのシステムパラメーターは前記第２タイトルが再開することができないことを指し示す識別情報を含むことを特徴とする請求項８に記載の記録媒体。
【請求項１０】
前記システムパラメーターには、タイトルセル番号、ビデオタイトルセット番号、ナビゲーションパックスタートアドレス、及びプログラムチェーン再生制御状態情報のうち少なくとも一つと関連した値が割り当てられることを特徴とする請求項６に記載の記録媒体。
【請求項１１】
メニュードメインから複数のタイトルで構成されるタイトルドメインに復帰する再生動作によって、再開することができることを指し示す識別情報を含むシステムパラメーターを有する、タイトルドメイン内の、第１タイトルを指定するための第１再生制御情報を検索して確認する段階、及び  前記第１再生制御情報に対応する第１タイトルの第１位置を探索して再生する段階を含んで構成されることを特徴とする記録媒体に記録されたオーディオ／ビデオデータの再生を制御するための方法。
【請求項１２】
前記第１再生制御情報はタイトルセル番号を含むことを特徴とする請求項１１に記載の記録媒体に記録されたオーディオ／ビデオデータの再生を制御するための方法。
【請求項１３】
前記第１再生制御情報はビデオタイトルセット番号を含むことを特徴とする請求項１１に記載の記録媒体に記録されたオーディオ／ビデオデータの再生を制御するための方法。
【請求項１４】
前記第１再生制御情報はナビゲーションパックスタートアドレスを含むことを特徴とする請求項１１に記載の記録媒体に記録されたオーディオ／ビデオデータの再生を制御するための方法。
【請求項１５】
前記第１再生制御情報はプログラムチェーン再生制御状態情報を含むことを特徴とする請求項１１に記載の記録媒体に記録されたオーディオ／ビデオデータの再生を制御するための方法。
【請求項１６】
前記プログラムチェーン再生制御状態情報は前記第１タイトルの第１位置を指定することを特徴とする請求項１５に記載の記録媒体に記録されたオーディオ／ビデオデータの再生を制御するための方法。
【請求項１７】
前記メニュードメインのデータストリームが再生される前に再生された、前記タイトルドメイン内の複数のタイトルのうちのタイトルのプログラムチェーンコマンドを実行して、第２再生制御情報で前記第１再生制御情報を更新する段階をさらに含んで構成されることを特徴とする請求項１１に記載の記録媒体に記録されたオーディオ／ビデオデータの再生を制御するための方法。
【請求項１８】
プログラムチェーンコマンドを実行して、前記再開することができる第１タイトルの第１位置を指定するための第２再生制御情報で前記第１再生制御情報を更新する段階をさらに含んで構成されることを特徴とする請求項１１に記載の記録媒体に記録されたオーディオ／ビデオデータの再生を制御するための方法。
【請求項１９】
前記再生動作が前記メニュードメインから前記タイトルドメインに復帰する時点に再生された前記メニュードメインのうちのメニューのプログラムチェーンコマンドを実行して、第２再生制御情報で前記第１再生制御情報を更新する段階をさらに含んで構成されることを特徴とする請求項１１に記載の記録媒体に記録されたオーディオ／ビデオデータの再生を制御するための方法。
【請求項２０】
前記メニュードメインのデータストリームが再生される前に再生された、前記タイトルドメインの複数のタイトルのうちのタイトルが再開することができなければ、前記メニュードメインのプログラムチェーンコマンドを実行して、前記第１タイトルの第１位置を指定するための第２再生制御情報で前記第１再生制御情報を更新する段階をさらに含んで構成されることを特徴とする請求項１１に記載の記録媒体に記録されたオーディオ／ビデオデータの再生を制御するための方法。
【請求項２１】
前記識別情報は、前記再生動作が前記メニュードメインから前記タイトルドメインに復帰するときに前記第１タイトルが再開されることができるかを指し示すことを特徴とする請求項１１に記載の記録媒体に記録されたオーディオ／ビデオデータの再生を制御するための方法。
【請求項２２】
前記識別情報は、前記タイトルドメイン内の複数のタイトルそれぞれのシステムパラメーターに含まれることを特徴とする請求項２１に記載の記録媒体に記録されたオーディオ／ビデオデータの再生を制御するための方法。
【請求項２３】
前記第１記録領域はビデオ領域であることを特徴とする請求項１に記載の記録媒体。
【請求項２４】
第１項において、
前記第１記録領域はＤＶＤ−ビデオ領域であることを特徴とする請求項１に記載の記録媒体。
【請求項２５】
第１項において、
前記第２記録領域はファイル構造領域であることを特徴とする請求項１に記載の記録媒体。
【請求項２６】
メニュードメインと複数のタイトルで構成されるタイトルドメインのデータストリームを記録するＤＶＤ−ビデオ記録領域、及び  前記データストリームの再生を制御するための再生制御情報を記録する第１ファイル構造記録領域を含んで構成されて、
前記第１ファイル構造記録領域の前記ナビゲーション情報は、再生動作が前記メニュードメインから前記タイトルドメインに復帰するときの前記タイトルドメイン内のタイトルを指定するための少なくともレジュームコマンドを含むことを特徴とする光記録媒体。
【請求項２７】
前記再生制御情報はタイトルセル番号を含むことを特徴とする請求項２６に記載の方法。
【請求項２８】
前記再生制御情報はビデオタイトルセット番号を含むことを特徴とする請求項２６に記載の方法。
【請求項２９】
前記第１再生制御情報はナビゲーションパックスタートアドレスを含むことを特徴とする請求項２６に記載の方法。
【請求項３０】
前記第１再生制御情報はプログラムチェーン再生制御状態情報を含むことを特徴とする請求項２６に記載の方法。
【請求項３１】
記録媒体に記録された第１タイトルと関連づけられたボーナスタイトルの再生が終了されると、前記第１タイトルの再開可能状態を確認する段階、及び  前記再開可能状態が第１値と同一であれば前記第１タイトルの再生を再開する段階を含んで構成されることを特徴とする記録媒体に記録されたオーディオ／ビデオデータの再生を再開するための方法。
【請求項３２】
前記再開可能状態が第２値と同一であれば第２タイトルの再生を再開する段階をさらに含んで構成されることを特徴とする請求項３１に記載の記録媒体に記録されたオーディオ／ビデオデータの再生を再開するための方法。
【請求項３３】
前記再開する段階は、
前記第１タイトルと関連づけられた第１再生位置を確認する段階、及び
前記第１再生位置から再生を再開する段階を含んで構成されることを特徴とする請求項３１に記載の記録媒体に記録されたオーディオ／ビデオデータの再生を再開するための方法。
【請求項３４】
前記第１再生位置は前記第１タイトルがスタートする位置と関連づけられることを特徴とする請求項３３に記載の記録媒体に記録されたオーディオ／ビデオデータの再生を再開するための方法。
【請求項３５】
前記第１再生位置は前記第１タイトルがスタートする位置ではない他の位置と関連づけられることを特徴とする請求項３３に記載の記録媒体に記録されたオーディオ／ビデオデータの再生を再開するための方法。
【請求項３６】
前記第１再生位置は第２タイトルがスタートする位置と関連づけられることを特徴とする請求項３３に記載の記録媒体に記録されたオーディオ／ビデオデータの再生を再開するための方法。
【請求項３７】
前記第１再生位置は前記第１タイトルのプログラムチェーンコマンド内に提供されることを特徴とする請求項３３に記載の記録媒体に記録されたオーディオ／ビデオデータの再生を再開するための方法。
【請求項３８】
前記第１再生位置は前記第１タイトルのプログラムチェーンコマンド関連づけられるマッピングテーブル内に提供されることを特徴とする請求項３３に記載の記録媒体に記録されたオーディオ／ビデオデータの再生を再開するための方法。
【請求項３９】
複数のボーナスタイトルが前記第１タイトルに関連づけられ、前記複数のボーナスタイトルはそれぞれのレジュームコマンドに関連づけられることを特徴とする請求項３１に記載の記録媒体に記録されたオーディオ／ビデオデータの再生を再開するための方法。
【請求項４０】
前記それぞれのレジュームコマンドは、前記第１タイトルが前記各ボーナスタイトルから再開可能であるかを指し示す少なくとも一つのパラメーターと関連づけられることを特徴とする請求項３９に記載の記録媒体に記録されたオーディオ／ビデオデータの再生を再開するための方法。
【発明の詳細な説明】
【技術分野】
【０００１】
本発明はデータストリームを記録するための記録媒体に係り、タイトルドメイン、メニュードメイン、及びデータストリームの再生を制御するためのナビゲーション情報がレジューム位置からのタイトル再生を制御するために提供される。
【背景技術】
【０００２】
光ディスクは高画質のビデオデータと高音質のオーディオデータを保存することができるが、ＤＶＤ（ＤＶＤ：Ｄｉｇｉｔａｌ  Ｖｅｒｓａｔｉｌｅ  Ｄｉｓｃ）が一例である。前記ＤＶＤに記録されたデータストリームを再生することができるＤＶＤプレーヤーのような光ディスク装置が広く普及されている。
【０００３】
前記光ディスク装置に対する例が図１に示している。前記光ディスク装置は光ピックアップ１１、ビデオディスクプレー（ＶＤＰ）システム１２、プロセッサー１３、及びメモリー１４などで構成される。前記プロセッサー１３は、ユーザーの要求によって前記ＶＤＰシステム１２の動作を制御して、装置内に挿入された光ディスク１０を再生する。前記光ディスク（例えば、ＤＶＤ）にはタイトルドメインとメニュードメインのデータストリームが記録されていて、前記データストリームの再生を制御するためのナビゲーション（Ｎａｖｉｇａｔｉｏｎ）情報も記録されている。
【０００４】
図２に示したように、前記ナビゲーション情報は、プログラムチェーンコマンドテーブル（ＰＧＣ_ＣＭＤＴ）に記録されて管理される、プログラムチェーンコマンドテーブル情報（ＰＧＣ_ＣＭＤＴＩ）、複数のプレコマンド（ＰＲＥ_ＣＭＤ  ＃１〜＃ｉ）、複数のポストコマンド（ＰＯＳＴ_ＣＭＤ  ＃１〜＃ｊ）、そして複数のセルコマンド（Ｃ_ＣＭＤ  ＃１〜＃ｋ）を含む。
【０００５】
前記プログラムチェーンコマンドテーブル情報（ＰＧＣ_ＣＭＤＴＩ）には、プレコマンドの個数に関する情報（ＰＲＥ_ＣＭＤ_Ｎｓ）、ポストコマンドの個数に関する情報（ＰＯＳＴ_ＣＭＤ_Ｎｓ）、セルコマンドの個数に関する情報（Ｃ_ＣＭＤ_Ｎｓ）を含む。前記タイトルドメインは複数のタイトルを含むが、各タイトルは、図３に示したように、２４個の情報記録フィールド（第０ないし第２３情報記録フィールド（ＳＰＲＭ[０]〜[２３]））がそれぞれ割り当てられる複数のシステムパラメーター（ＳＰＲＭｓ）を有する。
【０００６】
第４情報記録フィールド（ＳＰＲＭ[４]）にはタイトルドメインのためのタイトル番号、第５情報記録フィールド（ＳＰＲＭ[５]）にはタイトルドメインのためのビデオタイトルセットタイトルプログラムチェーン番号が記録される。また、第６情報記録フィールド（ＳＰＲＭ[６]）にはタイトルドメインのためのタイトルプログラムチェーン番号、第７情報記録フィールド（ＳＰＲＭ[７]）には一つのシーケンシャルプログラムチェーンタイトルのための部分タイトル番号、第８情報記録フィールド（ＳＰＲＭ[８]）には選択状況のためのハイライトしたボタン番号が記録され、第２１ないし第２３情報記録フィールド（ＳＰＲＭ[２１]〜[２３]）は予約（ｒｅｓｅｒｖｅｄ）領域に割り当てられる。
【発明の開示】
【発明が解決しようとする課題】
【０００７】
したがって、前記光ディスク装置では、前記のように記録され管理されるナビゲーション情報を検索し参照して、ユーザーの要求に相応する一連のデータ再生動作を遂行するようになる。ゲーム（Ｇａｍｅ）等のような多様なコンテンツをサポートすることができるように、メーンタイトル（Ｍａｉｎ  Ｔｉｔｌｅ）とボーナスビデオタイトル（Ｂｏｎｕｓ  Ｖｉｄｅｏ  Ｔｉｔｌｅ）などが含まれるタイトルドメインのデータストリームと、ルートメニュー（Ｒｏｏｔ  Ｍｅｎｕ）などが含まれるメニュードメインのデータストリームが記録される光ディスクが期待されている。また、メニュードメインからタイトルドメインに再生動作を復帰するときに、特定タイトルの所定位置を探索して再生することができるようにするレジューム機能（Ｒｅｓｕｍｅ  Ｆｕｎｃｔｉｏｎ）に対する効率的な方案が要求されている。
【課題を解決するための手段】
【０００８】
本発明の一実施形態で、記録媒体は、メニュードメインと複数のタイトルで構成されるタイトルドメインのデータストリームを記録する第１記録領域及び前記データストリームの再生を制御するためのナビゲーション情報を記録する第２記録領域を含んで構成されて、前記第２記録領域のナビゲーション情報は、タイトルドメインでの再開されなければならない位置を指定するための再生制御情報を含む。
【０００９】
前記再生動作は前記メニュードメインから前記タイトルドメインに再開されて、前記ナビゲーション情報は前記タイトルの再生動作を再開するためのレジュームコマンドをさらに含んで、ここで前記レジュームコマンドは、プログラムチェーンコマンドテーブルに記録されて管理されるが、前記ナビゲーション情報は前記レジュームコマンドの個数に関するコマンド情報をさらに含む。前記コマンド情報は前記プログラムチェーンコマンドテーブルに記録されて管理される。
【００１０】
いくつかの例で、前記タイトルは複数のシステムパラメーターで構成されることができる。前記システムパラメーターは前記タイトルが再開可能なことを指し示す識別情報を含む。前記タイトルドメイン内の少なくとも第２タイトルは複数のシステムパラメーターを含む。前記第２タイトルのシステムパラメーターは前記第２タイトルが再開することができないことを指し示す識別情報を含む。前記システムパラメーターには、例えば、タイトルセル番号、ビデオタイトルセット番号、ナビゲーションパックスタートアドレス、及びプログラムチェーン再生制御状態情報のうち少なくとも一つ以上と関連した値が割り当てられる。
【００１１】
本発明の一実施形態による記録媒体に記録されたオーディオ／ビデオデータの再生を制御するための方法は、メニュードメインから複数のタイトルで構成されるタイトルドメインに復帰する再生動作によって、再開することができることを指し示す識別情報を含むシステムパラメーターを有する、タイトルドメイン内の、第１タイトルを指定するための第１再生制御情報を検索して確認する段階、及び前記第１再生制御情報に対応する第１タイトルの第１位置を探索して再生する段階を含んで構成される。
【００１２】
いくつかの例では、前記第１再生制御情報は、タイトルセル番号を含む。また、前記第１再生制御情報は、ビデオタイトルセット番号を含む。前記第１再生制御情報は、ナビゲーションパックスタートアドレス、及びプログラムチェーン再生制御状態情報を含む。前記プログラムチェーン再生制御状態情報は前記第１タイトルの第１位置を指定する。
【００１３】
いくつかの例では、前記方法は、前記メニュードメインのデータストリームが再生される前に再生された、前記タイトルドメイン内の複数のタイトルのうち１タイトルのプログラムチェーンコマンドを実行して、第２再生制御情報で前記第１再生制御情報を更新する段階をさらに含んで構成される。他の例で、前記方法は、プログラムチェーンコマンドを実行して、前記再開することができる第１タイトルの第１位置を指定するための第２再生制御情報で前記第１再生制御情報を更新する段階をさらに含んで構成される。
【００１４】
また１つまたは複数の例で、前記第１再生制御情報は、前記再生動作が前記メニュードメインから前記タイトルドメインに復帰する時点で再生されていたメニュードメインの１メニューのプログラムチェーンコマンドを実行して、第２再生制御情報に更新される。また他の例で、前記第１再生制御情報は、前記メニュードメインのデータストリームが再生される前に再生された、前記タイトルドメインの複数のタイトルのうち１タイトルが再開することができなければ、前記メニュードメインのプログラムチェーンコマンドを実行して、前記第１タイトルの第１位置を指定するための情報を第２再生制御情報に更新される。
【００１５】
前記再生動作が前記メニュードメインから前記タイトルドメインに復帰するとき、前記識別情報は前記第１タイトルが再開されることができるかを指し示す。前記識別情報は前記タイトルドメイン内の複数のタイトルそれぞれのシステムパラメーターに含まれる。例えば、前記第１記録領域はビデオ記録領域またはＤＶＤ−ビデオ記録領域である。前記第２記録領域はファイル構造記録領域である。
【００１６】
本発明のまた他の実施形態による光記録媒体は、メニュードメインと複数のタイトルで構成されるタイトルドメインのデータストリームを記録するＤＶＤ−ビデオ記録領域、及び前記データストリームの再生を制御するための再生制御情報を記録するファイル構造記録領域を含んで構成されて、前記ファイル構造記録領域の前記ナビゲーション情報は、再生動作を前記メニュードメインから前記タイトルドメインに復帰するときに前記タイトルドメイン内の１タイトルを指定するための少なくともレジュームコマンドを含む。
【００１７】
本発明のまた他の実施形態による記録媒体に記録されたオーディオ／ビデオデータの再生を再開するための方法は、記録媒体に記録された第１タイトルと関連するボーナスタイトルの再生が終了すると、前記第１タイトルの再開可能状態を確認する段階、及び前記再開可能状態が第１値と同一であれば前記第１タイトルの再生を再開する段階を含んで構成される。
【００１８】
前記再開可能状態が第２値と同一であれば第２タイトルの再生が再開される。一例では、前記再開する段階は、前記第１タイトルと関連した第１再生位置を確認する段階及び前記第１再生位置から再生を再開する段階を含んで構成される。前記第１再生位置は、前記第１タイトルがスタートする位置と関連づけられる。または前記第１タイトルがスタートする位置ではない他の位置と関連づけられる。
【００１９】
前記第１再生位置は第２タイトルがスタートする位置と関連づけられることができる。前記第１再生位置は、例えば前記第１タイトルのプログラムチェーンコマンド内に提供され、あるいは前記第１タイトルのプログラムチェーンコマンドと関連づけられるマッピングテーブル内に提供される。複数のボーナスタイトルが前記第１タイトルに関連づけされて、前記複数のボーナスタイトルそれぞれは各レジュームコマンド関連づけられる。一例では、各レジュームコマンドは、前記第１タイトルが前記各ボーナスタイトルから再開可能であるかを指し示す少なくとも一つのパラメーターと関連づけられる。
【００２０】
本発明に係るこれらおよび他の実施形態は、添付の図面を参照して以下に説明する実施形態の詳細な説明により当業者に明確に理解されるようになるが、本発明は開示する特定の実施形態のいずれかに限定されるものではない。
【発明を実施するための最良の形態】
【００２１】
以下、本発明によるレジューム再生システム及び方法に対する望ましい実施形態に対して、添付した図面を参照しながら詳細に説明する。
【００２２】
図面中の同一の符号により参照される本発明の特徴、要素、および側面は同一、均等、あるいは類似の特徴、要素、および側面を示す。
【００２３】
本発明の一実施形態によって、メーンタイトルとボーナスビデオタイトルのようなタイトルドメインのデータストリームが、光ディスクまたはＤＶＤのような記録媒体に記録されることができる。ルートメニューを含むメニュードメインのデータストリームも記録されて、ゲームのような多様なコンテンツをサポートする。
【００２４】
本発明を、ＤＶＤまたはＣＤ−ＲＯＭのような光ディスク媒体に適用することができるように説明するが、このような適用は例を挙げるためのことであってこれに限定されない。本発明で提示されるシステムと方法はハードディスク、光磁気または磁気記録媒体、メモリースティック装置、または同様の記録媒体に適用されることができる。
【００２５】
一つまたは複数の実施例によれば、前記データストリームの再生を制御するためのナビゲーション情報が前記光ディスクに記録される。例えば、図４に示したように、前記ナビゲーション情報は、プログラムチェーンコマンドテーブル（ＰＧＣ_ＣＭＤＴ）に記録されて管理される、プログラムチェーンコマンドテーブル情報（ＰＧＣ_ＣＭＤＴＩ）、複数のプレコマンド（ＰＲＥ_ＣＭＤ  ＃１〜＃ｉ）、複数のポストコマンド（ＰＯＳＴ_ＣＭＤ  ＃１〜＃ｊ）、そして複数のセルコマンド（Ｃ_ＣＭＤ  ＃１〜＃ｋ）を含む。本発明による一実施形態によれば、前記ナビゲーション情報は一つまたは複数のレジュームコマンド（ＲＳＭ_ＣＭＤ  ＃１〜＃ｍ）をさらに含む。
【００２６】
また、一部の実施形態では、これら及び他の制御情報は、前記プログラムチェーンコマンドテーブル（ＰＧＣ_ＣＭＤＴ）または他の同等なデータ構造において、記録されることができる。各レジュームコマンドは、例えば、どのように再生が再開するかを指し示すアルゴリズムである。前記プログラムチェーンコマンドテーブル情報（ＰＧＣ_ＣＭＤＴＩ）は、レジュームコマンドの個数を指し示す情報（ＲＳＭ_ＣＭＤ_Ｎｓ）を含むことができる。また、いくつかの実施形態では、プレコマンドの個数についての情報（ＰＲＥ_ＣＭＤ_Ｎｓ）、ポストコマンドの個数についての情報（ＰＯＳＴ_ＣＭＤ_Ｎｓ）、セルコマンドの個数についての情報（Ｃ_ＣＭＤ_Ｎｓ）も含まれることができる。
【００２７】
前記タイトルドメインは複数のタイトルで構成されて、各タイトルは、図５に示したように、例えば、２６個の情報記録フィールド（第０ないし第２５情報記録フィールド（ＳＰＲＭ[０]〜[２５]））がそれぞれ割り当てられる複数のシステムパラメーター（ＳＰＲＭｓ）を有する。例えば、第４情報記録フィールド（ＳＰＲＭ[４]）にはタイトルドメインのためのタイトル番号、第５情報記録フィールド（ＳＰＲＭ[５]）にはタイトルドメインのためのビデオタイトルセットタイトルプログラムチェーン番号が記録される。
【００２８】
また、第６情報記録フィールド（ＳＰＲＭ[６]）にはタイトルドメインのためのタイトルプログラムチェーン番号、第７情報記録フィールド（ＳＰＲＭ[７]）には一つのシーケンシャルプログラムチェーンタイトルのための部分タイトル番号、そして第８情報記録フィールド（ＳＰＲＭ[８]）には選択状況のためのハイライトしたボタン番号情報がそれぞれ記録される。
【００２９】
そして、第２１ないし第２５情報記録フィールド（ＳＰＲＭ[２１]〜[２５]）には、再生動作中にメニュードメインからタイトルドメインに復帰するときの特定タイトルの所定位置を探索して再生するようにするレジューム機能のための再生制御情報が記録される。
【００３０】
例えば、第２１情報記録フィールド（ＳＰＲＭ[２１]）にはタイトルドメインのためのタイトルセル番号、第２２情報記録フィールド（ＳＰＲＭ[２２]）にはビデオタイトルセット番号、第２３情報記録フィールド（ＳＰＲＭ[２３]）にはタイトルドメインのためのナビゲーションパックスタートアドレス、第２４情報記録フィールド（ＳＰＲＭ[２４]）にはプログラムチェーン再生制御状態情報が記録される。
【００３１】
そして、第２５情報記録フィールド（ＳＰＲＭ[２５]）には該タイトルのレジューム可否を示すためのフラッグ（Ｒｅｓｕｍａｂｌｅ_Ｆｌａｇ）が記録される。例えば、前記フラッグが‘１’に該当する値に設定されている場合、再生動作がメニュードメインからタイトルドメインに復帰するときに、選択されて再生されることができるタイトルであることを示して、前記フラッグが‘０’に該当する値に設定されている場合には、メニュードメインからタイトルドメインに復帰するときに、選択されて再生されることができないタイトルであることを示す。いくつの例で、該タイトルがレジューム可能なことを前記フラッグが指し示せば、前記２１フィールドないし２５フィールドに保存された再生制御情報は変更または設定されない。他の例で、前記再生制御情報は該タイトルが再生可能なのか否かによって変更されることができる。
【００３２】
前記レジューム機能を基礎にして光ディスクの再生を制御する方法に対して説明する。前記レジューム機能は、再生する間再生動作がメニュードメインからタイトルドメインに復帰するときの特定タイトルの所定位置を探索して再生するようにするものである。前記レジューム機能は前記プログラムチェーンコマンドテーブル（ＰＧＣ_ＣＮＤＴ）に記録された再生制御情報と前記情報記録フィールドに記録された再生制御情報とを参照する。
【００３３】
本発明による光ディスクの再生制御方法は、図１を参照しながら前述したように構成される光ディスク装置などに適用されることができる。前記光ディスク装置では、ユーザーの要求またはナビゲーション情報等によりボーナスビデオタイトルを再生することができる。前記ボーナスビデオタイトルの再生は、例えばメーンタイトルである映画の再生中に起こることができる。前記メーンタイトルのシステムパラメーターのうち第２５情報記録フィールド（ＳＰＲＭ[２５]）のレジューム可能を示すフラッグは前記メーンタイトルがレジューム可能なのか否かを指し示すように設定されることができる。
【００３４】
図６に示したように、前記レジューム可能フラッグは第１ボーナスビデオタイトルがレジューム不可能を示すように‘０’に設定されている。前記光ディスク装置では、ユーザーの要求によって光ディスクのメニュードメインに含まれたルートメニュー（Ｒｏｏｔ  Ｍｅｎｕ）にジャンプする場合、前記第１ボーナスビデオタイトルのレジュームコマンド（Ｂｏｎｕｓ  Ｖｉｄｅｏ  １  ＲＳＭ_ＣＭＤ）を実行するが、この時メニュードメインからタイトルドメインに復帰するときのために、前記フラッグが‘１’に設定された特定タイトル、例えばメーンタイトルの所定位置をレジューム情報（ＲＳＭ_Ｉｎｆｏ．）として装置内に設定して記録するようになる。
【００３５】
すなわち、ユーザーが第１ボーナスビデオタイトルからルートメニューにジャンプするとき、例えば、前記メーンタイトルの第４ないし第８情報記録フィールド（ＳＰＲＭ[４]〜[８]）と第２１ないし第２４情報記録フィールド（ＳＰＲＭ[２１]〜[２４]）のシステムパラメーターとが、前記メーンタイトルの所定位置を指定するためのレジューム情報（ＲＳＭ＿Ｉｎｆｏ．）として光ディスク装置内に保存される。
【００３６】
そして、前記ルートメニューを再生中にユーザーがレジュームボタンを選択すると、前記光ディスク装置は、前記システムパラメーターを検索し参照して前記保存されたレジューム情報により指定されるメーンタイトルの所定位置を探索して再生するレジューム機能を基礎にして、再生制御動作を遂行するようになる。したがって、ルートメニューからタイトルドメインにレジューム機能が実行されるとき、第１ボーナスビデオタイトルへジャンプするのではなく、前記第１ボーナスビデオタイトルのレジュームコマンドの実行により保存されたレジューム情報に対応するメーンタイトルの所定位置に直接ジャンプして、映画などのメーンタイトルの所定位置を速かに再生することができるようになる。
【００３７】
本発明の他の実施形態として、ユーザーの要求によって光ディスクのメニュードメインに含まれたルートメニューにジャンプする場合、前記第１ボーナスビデオタイトルの現在再生位置情報（Ｐｏｓｉｔｉｏｎ_Ｉｎｆ．）が設定され保存される。
【００３８】
一部の実施形態では、前記ルートメニューの再生中に、ユーザーがレジュームボタンを選択すると、前記光ディスク装置は、前記ルートメニューのレジュームコマンド（Ｒｏｏｔ  Ｍｅｎｕ  ＲＳＭ_ＣＭＤ）を実行する。この時、前記光ディスク装置は、前記位置情報に対応する第１ボーナスビデオタイトルのシステムパラメーターのうち第２５情報記録フィールド（ＳＰＲＭ[２５]）のフラッグを確認するようになる。
【００３９】
前記確認されたフラッグがレジューム不可能を示す場合、前記ルートメニューのレジュームコマンドの実行により、前記メーンタイトルの第４ないし第８情報記録フィールド（ＳＰＲＭ[４]〜[８]）と第２１ないし第２４情報記録フィールド（ＳＰＲＭ[２１]〜[２４]）のシステムパラメーターが、前記メーンタイトルの所定位置を指定するためのレジューム情報として設定されて記録される。
【００４０】
そして、前記光ディスク装置は、前記設定されたレジューム情報により指定されるメーンタイトルの所定位置を探索して再生するレジューム機能を基礎にして、再生制御動作を実行するので、ルートメニューからタイトルドメインにレジューム機能を実行すると、第１ボーナスビデオタイトルへジャンプするのではなく、メーンタイトルの所定位置に直接ジャンプして、ムービーのようなメーンタイトルの所定位置を速かに再生することができるようになる。
【００４１】
本発明による光ディスクとその光ディスクの再生制御方法によって、ゲームなどのような多様なコンテンツを提供するコンテンツ提供業者はタイトルをレジューム可能またはレジューム不可能に指定して多様なシナリオを有するタイトルを提供することができるようになり、またレジューム機能を実行して映画のような特定タイトルの所定位置をより速かに再生することができるようになる。
【００４２】
以上、前述した本発明の望ましい実施形態は、例示の目的のために開示されたものであって、当業者ならば、添付された特許請求範囲に開示された本発明の技術的思想とその技術的範囲内で、また他の多様な実施形態を改良、変更、代替または付加などが可能であることである。
【図面の簡単な説明】
【００４３】
【図１】図１は１つまたは複数の実施形態にしたがった光ディスク装置の構成を示すものである。
【図２】図２はＤＶＤのプログラムチェーンコマンドテーブルを示すものである。
【図３】図３はＤＶＤのシステムパラメーターを示すものである。
【図４】図４は本発明の一実施形態による記録媒体のプログラムチェーンコマンドテーブルを示したものである。
【図５】図５は本発明の実施形態による記録媒体のシステムパラメーターを示すものである。
【図６】図６は本発明の実施形態による記録媒体の再生を制御するための方法を説明するためのものである。
【図７】図７は本発明の実施形態による記録媒体の再生を制御するための方法を説明するためのものである。
【００４４】
【図８】図８は本発明の他の実施形態による記録媒体の再生を制御するための方法を説明するためのものである。
【図９】図９は本発明の他の実施形態による記録媒体の再生を制御するための方法を説明するためのものである。
【図１】
2006514394.tif 000003
【図２】
2006514394.tif 000004
【図３】
2006514394.tif 000005
【図４】
2006514394.tif 000006
【図５】
2006514394.tif 000007
【図６】
2006514394.tif 000008
【図７】
2006514394.tif 000009
【図８】
2006514394.tif 000010
【図９】
2006514394.tif 000011
【国際調査報告】
2006514394.tif 000012